(57)【要約】【課題】着脱が容易でありながら確実に取り付けることのできる集塵カバーを備えた注水式電動工具を提供する。【解決手段】注水式グラインダ１は、研磨パッドが取り付けられるスピンドル１８と、スピンドル１８の後部を収容するハウジング９と、研磨パッド２４に対して注ぐ水を導入する配水管４０と、研磨パッドを覆う集塵カバー（メインカバー５２）とを備えており、メインカバー５２は、１つの集塵カバー掛け孔部６６と、２つの集塵カバー止め孔部６８，６８を有しており、ハウジング９は、集塵カバー掛け孔部６６に入る突起８０と、各集塵カバー止め孔部６８に対応するハウジング止め孔部８２を有しており、更に、溝９２に硬貨を入れて回すことによりツールを用いることなく集塵カバー止め孔部６８を固定可能なツールレスネジ９０が設けられる。【選択図】図５
2016203326.tif 000002
【特許請求の範囲】
【請求項１】
先端工具が取り付けられるスピンドルと、
前記スピンドルの少なくとも一部を収容するハウジングと、
前記先端工具に対して注ぐ水を導入する配水管と、
前記先端工具を覆う集塵カバーと
を備えており、
前記集塵カバーは、
少なくとも１つのカバー側突起又はカバー側突起係止部と、
少なくとも１つのカバー側取り付け部
を有しており、
前記ハウジングは、
前記カバー側突起が入るハウジング側突起係止部、又は前記カバー側突起係止部に入るハウジング側突起と、
前記カバー側取り付け部に対応するハウジング側取り付け部
を有しており、
更に、前記ハウジング側取り付け部と挟むことで前記カバー側取り付け部を固定する固定手段が設けられており、
前記固定手段は、ツールを用いることなく前記カバー側取り付け部を固定可能なツールレス固定手段である
ことを特徴とする注水式電動工具。
【請求項２】
前記ツールレス固定手段は、前記ハウジング側取り付け部に入るネジである
ことを特徴とする請求項１に記載の注水式電動工具。
【請求項３】
前記ハウジング側突起係止部又はハウジング側突起と、ハウジング側取り付け部のうち、一方が、他方に対して前記スピンドルを介して対向する位置に配置されている
ことを特徴とする請求項１又は請求項２に記載の注水式電動工具。
【請求項４】
前記ハウジング側突起係止部又はハウジング側突起が前記スピンドルの上方に配置されており、前記ハウジング側取り付け部が前記スピンドルの下方の左右に一対配置されている
ことを特徴とする請求項３に記載の注水式電動工具。
【請求項５】
前記スピンドルを回転させるモータと、
前記モータを収容する本体と
を備えており、
前記配水管は、前記本体の外に配置されており、
前記ハウジング側突起係止部又はハウジング側突起、及びハウジング側取り付け部のうちの少なくとも何れかは、前記配水管又は前記配水管のハウジングである配水管ハウジングに設けられている
ことを特徴とする請求項１ないしは請求項４の何れかに記載の注水式電動工具。
【請求項６】
前記集塵カバーは、弾性材により形成されている
ことを特徴とする請求項１ないしは請求項５の何れかに記載の注水式電動工具。
【発明の詳細な説明】
【技術分野】
【０００１】
本発明は、注水式グラインダや注水式サンダ等の注水式電動工具に関する。
【背景技術】
【０００２】
下記特許文献１に示されるように、スピンドルの周囲に配置可能な集塵カバーが、配水管を収める配水管ハウジングに取り付けられる注水式グラインダが知られている。
集塵カバーは、次のようにして取り付けられる。即ち、集塵カバーの円孔をスピンドルの周りのハウジングに通し、円孔の周りに形成されたリブを配水管ハウジングに沿わせ、更に集塵カバー上部の突起をハウジング上部のカバー取付孔に入れつつ、集塵カバー後部の突起をハウジング前部のカバー取付孔に入れて取り付ける。
【先行技術文献】
【特許文献】
【０００３】
【特許文献１】特開２０１３−１６３２４２号公報
【発明の概要】
【発明が解決しようとする課題】
【０００４】
特許文献１の注水式ポリッシャーでは、集塵カバーが着脱自在であり、集塵カバーを取り付けた場合には、スピンドルに装着した研磨パッドからの塵や水のユーザ側への飛散を防止することができるし、注水不要時等に集塵カバーを外した場合には、壁際等においても研磨パッドを適用できる等作業性を比較的に向上させることができる。
しかし、集塵カバーの着脱は、上部の突起を入れつつ後部の突起を入れ込むようにして行うので、二つの突起を同時に操作する必要があり、比較的に手間が掛かる。又、単に着脱を容易にしてしまうと、作業時に集塵カバーが意図せず外れる可能性が比較的に高くなってしまう。
そこで、本発明は、着脱が容易でありながら確実に取り付けることのできる集塵カバーを備えた注水式電動工具を提供することを主な目的とするものである。
【課題を解決するための手段】
【０００５】
上記目的を達成するために、請求項１に記載の発明は、先端工具が取り付けられるスピンドルと、前記スピンドルの少なくとも一部を収容するハウジングと、前記先端工具に対して注ぐ水を導入する配水管と、前記先端工具を覆う集塵カバーとを備えており、前記集塵カバーは、少なくとも１つのカバー側突起又はカバー側突起係止部と、少なくとも１つのカバー側取り付け部を有しており、前記ハウジングは、前記カバー側突起が入るハウジング側突起係止部、又は前記カバー側突起係止部に入るハウジング側突起と、前記カバー側取り付け部に対応するハウジング側取り付け部を有しており、更に、前記ハウジング側取り付け部と挟むことで前記カバー側取り付け部を固定する固定手段が設けられており、前記固定手段は、ツールを用いることなく前記カバー側取り付け部を固定可能なツールレス固定手段であることを特徴とするものである。
本発明において、（ツールを用いることなく前記カバー側取り付け部を固定可能な）ツールレス固定手段には、ユーザが（手等で）直接着脱操作できる固定手段、ないしは主な用途が固定手段に対する着脱操作以外にある物（好適には一般に所持される物）で着脱操作できる固定手段を含む。
手で直接着脱操作できる固定手段として、例えば、蝶ネジ、各種のボタン、磁石、カラビナ、ナスカン、ベルト、ギボシ、差し込み金具、ラッチを挙げることができる。
主な用途が固定手段に対する着脱操作以外にある物で着脱操作できる固定手段として、例えば、硬貨（コイン）で回せるネジを挙げることができる。
主な用途が固定手段に対する着脱操作以外にある物は、本発明におけるツールに該当しない。
主な用途が固定手段に対する着脱操作以外にある物には、固定手段に対する着脱操作の用途が通常想定されているものが適宜含まれるし、当該用途が通常想定されていない物も適宜含まれる。
【０００６】
請求項２に記載の発明は、上記発明において、前記ツールレス固定手段は、前記ハウジング側取り付け部に入るネジであることを特徴とするものである。
請求項３に記載の発明は、上記発明において、前記ハウジング側突起係止部又はハウジング側突起と、ハウジング側取り付け部のうち、一方が、他方に対して前記スピンドルを介して対向する位置に配置されていることを特徴とするものである。
請求項４に記載の発明は、上記発明において、前記ハウジング側突起係止部又はハウジング側突起が前記スピンドルの上方に配置されており、前記ハウジング側取り付け部が前記スピンドルの下方の左右に一対配置されていることを特徴とするものである。
請求項５に記載の発明は、上記発明において、前記スピンドルを回転させるモータと、前記モータを収容する本体とを備えており、前記配水管は、前記本体の外に配置されており、前記ハウジング側突起係止部又はハウジング側突起、及びハウジング側取り付け部のうちの少なくとも何れかは、前記配水管又は前記配水管のハウジングである配水管ハウジングに設けられていることを特徴とするものである。
請求項６に記載の発明は、上記発明において、前記集塵カバーは、弾性材により形成されていることを特徴とするものである。
【発明の効果】
【０００７】
本発明により、着脱が容易でありながら確実に取り付けることのできる集塵カバーを備えた注水式電動工具を提供することが可能となる。
【図面の簡単な説明】
【０００８】
【図１】本発明に係る注水式グラインダの集塵カバーを取り付けた状態に係る斜視図である。
【図２】図１の左側面図である。
【図３】図１の上面図である。
【図４】図１の縦中央断面図である。
【図５】図１の一部分解斜視図である。
【図６】図５の縦中央断面図である。
【図７】（ａ）図６のＡ−Ａ線断面図，（ｂ）図４のＢ−Ｂ線断面図である。
【発明を実施するための形態】
【０００９】
以下、本発明の実施の形態を図面に基づいて説明する。
図１は、注水式電動工具のうちの注水式研削工具の一例である注水式グラインダ１の、集塵カバー（メインカバー及びサブカバー）を取り付けた状態に係る斜視図であり、図２は、同状態に係る左側面図であり、図３は、同状態に係る上面図であり、図４は、同状態に係る縦中央断面図であり、図５は、集塵カバー及び先端工具を外した状態（サブカバー及び先端工具の図示略）に係る斜視図であり、図６は同状態に係る縦中央断面図（メインカバーの一部図示略）であり、図７（ａ）は図６のＡ−Ａ線断面図であり、図７（ｂ）は図４のＢ−Ｂ線断面図である。
注水式グラインダ１において、図２の左が前であり、図２の上が上であるが、被加工物や作業状況等に応じ、方向は相対的に変化し得る。
【００１０】
注水式グラインダ１は、前後方向に沿う本体２と、その下側に形成されたループハンドル４を備えている。
ループハンドル４は、本体２の後方下部から下方へ突出させたハンドル後半部６と、ハンドル後半部６の下部から本体２の前部にかけて渡された側面視Ｌ字状のハンドル前半部８を有している。
ループハンドル４は、ハンドル後半部６を後部とし、ハンドル前半部８の前辺を前部とし、その下辺を下部とした状態で、本体２下側からループ状に突出している。
【００１１】
本体２やループハンドル４のハウジング９は、次の通りに分かれている。
即ち、本体２とハンドル後半部６は、中間ハウジング１０と、その後側の後部ハウジング１１を外郭としている。尚、後部ハウジング１１の後部外側には、後端部カバー１２が配置されている。
中間ハウジング１０の前側には、これより細径の筒状部分を有する前部ハウジング１３が接続され、本体２の前部の外郭の一部となっている。
ハンドル前半部８は、左右のハンドルハウジング１４，１５を外郭としている。ハンドルハウジング１４，１５は、互いに略対称の形状を呈している半割のものとなっている。ハンドルハウジング１４，１５の上端部は、前部ハウジング１３の前部を覆っている。
【００１２】
本体２の内部には、電動のモータ１６が組み込まれている。モータ１６の回転軸１７の先端部には、歯が形成されており、その歯は、スピンドル１８の後端部に固定されたギヤ部１９と噛み合っている。回転軸１７の歯数はギヤ部１９の歯数より少ないので、回転軸１７の回転は減速されてスピンドル１８に伝わる。スピンドル１８の後部は、ベアリング２０を介して、本体２の前部内やハンドル前半部８の上部内に取り付けられている。スピンドル１８の前部は、ハウジング９外に露出している。ベアリング２０は、前部ハウジング１３内に設置される。
モータ１６は、コード２１からの給電により駆動し、その給電の有無や量を切替えるスイッチ本体２２がハンドル後半部６上部内に設置され、スイッチ本体２２に接続されるトリガスイッチ２３がハンドル後半部６の前部において露出して設けられる。
又、スピンドル１８の前端部には、先端工具（例えば研磨パッド２４）が取付けられ、スピンドル１８の前部には、水路２５が内設されている。水路２５は、スピンドル１８の中間に位置する放射方向の導入路２６と、これに連通しこれより前側に位置する軸方向の案内路２７を含む。
スピンドル１８の案内路２７は、散水用のピン２８を固定するための穴でもあり、ピン２８の内部にも、ピン水路２９が設けられている。
又、スピンドル１８の導入路２６の周囲に接触する孔付きの周囲部材３０が設けられると共に、当該孔に連通する孔３２が、前部ハウジング１３の下部において、ハンドルハウジング１４，１５に覆われた状態で設けられる。
【００１３】
更に、スピンドル１８の周囲であって、ギヤ部１９とベアリング２０の間には、ロック部材３３が固定されている。ロック部材３３は、円筒状の部材であり、中央の孔にスピンドル１８が配置されてスピンドル１８に対し固定されている。ロック部材３３の周囲には、周りに対して放射方向に窪み前後方向に延びるロック溝３４（図７等）が、複数（３つ）、周方向において等間隔に設けられている。
本体２前部の上部であって、ロック部材３３の上方には、ロックシャフト３５が設けられている。ロックシャフト３５は、上下方向の棒状部の上端部にボタン状部分を配置して形成されており、棒状部は前部ハウジング１３上部の孔に通されている。ロックシャフト３５（ボタン状部分下面）と前部ハウジング１３（上面における孔の周辺部）の間には、スプリング３６が設けられており、ロックシャフト３５は上方に付勢されている。又、ロックシャフト３５（棒状部下端縁）には、棒状部の放射方向に突出するリング部３７が固定されている。リング部３７は、抜け止めのため、前部ハウジング１３の内面に引っ掛かる。
ロックシャフト３５は、常態では（図５，図６）、図７（ａ）に示すように、スプリング３６の付勢力により、ロック部材３３から離れた位置をとっている。そして、スピンドル１８停止時に、ロックシャフト３５（ボタン状部分）を付勢力に抗して押すと（図１〜図４）、図７（ｂ）に示すように、ロックシャフト３５（棒状部下端部）がロック部材３３のロック溝３４（何れか１つ）に入り、ロックシャフト３５がロック部材３３に引っ掛かってスピンドル１８の空転を防止する。よって、ロックシャフト３５を押しながらの先端工具の着脱は、スピンドル１８の空転により妨げられることなく円滑に行える。尚、ロックシャフト３５が押し下げ時にロック溝３４，３４間に当たってロック溝３４に入らなかったとしても、スピンドル１８を僅かに空転させるだけでロック溝３４に入れられる。各ロック溝３４の縁であって、ロック部材３３（スピンドル１８）の回転方向で先方のもの（縁Ｆ）は、面取りされており、ロックシャフト３５はスムーズにロック溝３４に入る。
ロックシャフト３５は、中間ハウジング１０より細い前部ハウジング１３の上部であって、ハンドルハウジング１４，１５の後方に配置されている。よって、先端工具に対し近すぎず遠すぎず丁度良い位置に配置されることとなり、本体２より細いために先端工具交換時において比較的に掴み易い前部ハウジング１３を持って先端工具を交換することができ、先端工具の交換を円滑に行うことができる。又、ハンドルハウジング１４，１５にロックシャフト３５取り付け部（孔）を設ける必要がなく、ロックシャフト３５をシンプルに設けることができる。
又、前部ハウジング１３の上面であってロックシャフト３５の棒状部が通る孔の左右に位置する部分には、その周囲に対して上方に突出するリブ３８，３８が設けられる。尚、前部ハウジング１３の上面であって当該孔の後方に位置する部分も、その前側の部分に対して上方に突出している。
各リブ３８は、ロックシャフト３５のボタン状部分の左又は右に接触あるいは近接するように配置されており、ロックシャフト３５のボタン状部分の前方には配置されていない。各リブ３８は、ロックシャフト３５の押下の有無にかかわらず、ロックシャフト３５の左又は右に接触あるいは近接しているが、押し下げていないロックシャフト３５には接触あるいは近接せず、押し下げたロックシャフト３５に対して接触あるいは近接するようにしても良い。
ロックシャフト３５がロック部材３３から作用を受けて傾斜しようとしても、リブ３８，３８がロックシャフト３５を受け止めることで、ロックシャフト３５の傾斜が防止される。即ち、ロックシャフト３５の姿勢がリブ３８，３８により保持される。かようなロックシャフト３５の姿勢の保持により、ロックシャフト３５の円滑な動作を確保することができる。又、リブ３８，３８はロックシャフト３５の前方には配置されず、上方に突出するリブ３８，３８が途切れているので、リブ３８，３８内に塵が入ったとしてもロックシャフト３５の前方から排出されることとなり、塵が詰まらない。尚、ロック部材３３は前後方向の軸の周りで左右方向に回転することから、ロックシャフト３５は通常左右方向に傾斜し得るもの（傾斜方向を左右方向とするもの）となっており、ロックシャフト３５が前後方向に傾斜する可能性は低い。リブ３８，３８は少なくともロックシャフト３５の傾斜方向に設けられると共に、傾斜方向以外の何れかの方向において途切れているので、塵の蓄積が防止され、ロックシャフト３５の円滑な動作が確保される。
【００１４】
加えて、ハンドル前半部８の内部には、水路２５に水を供給する配水管４０が配置されている。配水管４０等により、先端工具に注ぐ水がスピンドル１８に導入される。ハンドル前半部８の外郭であるハンドルハウジング１４，１５の前辺は、配水管ハウジングの役割を担う。配水管４０の上端には、孔３２に接続されるコネクタ４２が設けられており、配水管４０の下端には、流量を調節するバルブ４４に対するコネクタ４６が設けられている。
又、バルブ４４の反対側（下側）には、水を通すホース（図示せず）の接続部４８が接続されている。接続部４８の下部は、ハンドル前半部８の角部下側から露出している。
【００１５】
そして、スピンドル１８や先端工具の周囲に配置可能な集塵カバー５０が、配水管４０を収めるハンドル前半部８に装着されている。
集塵カバー５０は、前方に向かって開く碗状の部材であって、弾性材から形成されており、その下部ないし後部に亘るメインカバー５２と、前上部に亘るサブカバー５４を含む。メインカバー５２はエラストマ製であり、サブカバー５４は透明な樹脂製である。
【００１６】
メインカバー５２の後部は、ハンドルハウジング１４，１５の外面上部に対応する形状に形成されている。即ち、メインカバー５２の後部の前には、上下左右に広がる円盤状部６０が配置されており、円盤状部６０の後面から、ハンドルハウジング１４，１５上部の両側面ないし上面に対応する断面逆Ｕ字状のリブ６２が、後方に突出している。
又、円盤状部６０の前面の下部周縁から半円筒状に前方に突出する周縁部６４が設けられている。尚、周縁部６４の下端部には、その上側に対して左右ないし下に突出するガード部が形成されている。
円盤状部６０の中央部であって、リブ６２の内方には、スピンドル１８を通す孔が開けられている。又、リブ６２の上部（円盤状部６０の隣接部）には、カバー側突起係止部としての集塵カバー掛け孔部６６が形成されている。集塵カバー掛け孔部６６は、孔とその周囲部を含む。更に、リブ６２の左右の下端部には、それぞれカバー側取り付け部としての集塵カバー止め孔部６８が形成されている。各集塵カバー止め孔部６８は、孔とその周囲部を含む。加えて、周縁部６４の上面の左右には、それぞれサブカバー５４用の取り付け穴６９が開けられている。
【００１７】
サブカバー５４は、メインカバー５２の周縁部６４に連続するような半碗状の基部７０と、基部７０の後面下部の左右からそれぞれ後方に突出する突出片７２を有している。各突出片７２には、取り付け孔が開けられている。
サブカバー５４は、メインカバー５２に対し、着脱自在に取り付けられている。即ち、サブカバー５４の突出片７２，７２の取り付け孔を、対応するメインカバー５２の取り付け孔６９，６９に重ねた状態で、それぞれにネジ７４を入れることで、サブカバー５４がメインカバー５２に取り付けられる。サブカバー５４が取り付けられた場合、メインカバー５２（円盤状部６０ないし周縁部６４）とサブカバー５４（基部７０）は前方に開口した碗状となり、これらの間には、スピンドル１８や先端工具の後部が通る孔が形成される。
【００１８】
更に、本体２の前端上部には、周囲に対して上方に突出するハウジング側突起としての突起８０が設けられている。突起８０は、ハンドルハウジング１４，１５の上端部において、半割状に設けられる。
又、ハンドルハウジング１４の側面上部には、ハウジング側取り付け部としてのハウジング止め孔部８２が形成されており、ハンドルハウジング１５にも同様にハウジング止め孔部８２が形成されている。各ハウジング止め孔部８２は、孔とその周囲部を含む。
突起８０は集塵カバー掛け孔部６６に対応し、ハウジング止め孔部８２，８２は集塵カバー止め孔部６８，６８に対応する。
即ち、集塵カバー５０の装着状態においては、メインカバー５２の円盤状部６０後面やリブ６２内面がハンドルハウジング１４，１５の上前部外面に当たるところ、突起８０は集塵カバー掛け孔部６６内に入っていて集塵カバー掛け孔部６６は突起８０により係止されており、集塵カバー止め孔部６８，６８はハウジング止め孔部８２，８２に重なっている。
【００１９】
ハウジング止め孔部８２と集塵カバー止め孔部６８が重なった部分（左右）には、それぞれ、ツールレス固定手段としてのツールレスネジ９０が入れられている。
集塵カバー５０のメインカバー５２は、サブカバー５４の有無にかかわらず、突起８０に入る集塵カバー掛け孔部６６やリブ６２により位置決めされ、ツールレスネジ９０，９０を集塵カバー止め孔部６８，６８に入れることにより確実に固定される。
各ツールレスネジ９０は、ハウジング止め孔部８２の孔に入ることで固定され、ツールレスネジ９０，９０の頭部とハンドルハウジング１４，１５（ハウジング止め孔部８２，８２の孔周囲部）でメインカバー５２（集塵カバー止め孔部６８，６８の孔周囲部）を挟むことにより、メインカバー５２を固定する。
各ツールレスネジ９０の頭部には、流通する硬貨を入れられる溝９２が形成されており、溝９２に硬貨を入れて回すことにより、ツールレスネジ９０を、ハウジング止め孔部８２に入れたり、ハウジング止め孔部８２から出したりすることができる。
【００２０】
このような注水式グラインダ１は、例えば次のように動作する。
即ち、コード２１を電源に接続して、ループハンドル４のトリガスイッチ２３を操作し、スイッチ本体２２のスイッチをオンにすると、モータ１６の回転軸１７が回転してスピンドル１８が回転し、これに取付けられた研磨パッド２４が回転して、研磨パッド２４を被加工材に当てることで研磨を施すことができる。
又、接続部４８に水源からのホースを接続し、バルブ４４をレバー操作により開くと、ループハンドル４内の配水管４０やコネクタ４２ないし前部ハウジング１３下部の孔３２や周囲部材３０を通じて、スピンドル１８の水路２５に水が供給され、ピン水路２９を介して研磨パッド２４やその研磨面に注水される。
更に、集塵カバー５０の装着によって、ユーザ側に向かおうとする塵や水を跳ね返してこれらを集塵カバー５０内に集め、塵や水がユーザ側に飛散する事態を防止することができる。メインカバー５２にサブカバー５４を取り付けた場合には、研磨パッド２４の略全周を覆うため、集塵カバー５０外への塵や水の飛散を最小限に食い止めることができる。一方、サブカバー５４を外した場合、集塵カバー５０は半碗状で研磨パッド２４の上半分を覆わないこととなり、サブカバー５４装着時に比べて塵や水の飛散が少し増加するものの、塵や水のユーザ側への飛散が効率的に防止されるし、しかも集塵カバー５０がコンパクトになり、研磨状態等、先端工具や被加工材の様子の視認性が向上する。
【００２１】
更に、集塵カバー５０の着脱は、次のように行える。
集塵カバー５０が外れている状態から取り付けを行う場合、研磨パッド２４を外し、突起８０に対して集塵カバー掛け孔部６６を入れながら、リブ６２をハンドルハウジング１４，１５の上部外面に当て、ハウジング止め孔部８２，８２に重なった集塵カバー止め孔部６８，６８に対し、硬貨を用いてツールレスネジ９０，９０を入れる。
又、集塵カバー５０を取り付け状態から外す場合、硬貨を用いてツールレスネジ９０，９０を外し、集塵カバー掛け孔部６６を突起８０から離しつつ集塵カバー５０を前方に引き出し、研磨パッド２４を外したスピンドル１８の周りから離す。
【００２２】
以上の注水式グラインダ１では、研磨パッド２４が取り付けられるスピンドル１８と、スピンドル１８の後部を収容するハウジング９と、研磨パッド２４に対して注ぐ水を導入する配水管４０と、研磨パッド２４を覆う集塵カバー５０とを備えており、集塵カバー５０は、１つの集塵カバー掛け孔部６６と、２つの集塵カバー止め孔部６８，６８を有しており、ハウジング９は、集塵カバー掛け孔部６６に入る突起８０と、各集塵カバー止め孔部６８に対応するハウジング止め孔部８２を有しており、更に、ハウジング止め孔部８２と挟むことで集塵カバー止め孔部６８を固定する固定手段が設けられており、当該固定手段は、溝９２に硬貨を入れて回すことによりツールを用いることなく集塵カバー止め孔部６８を固定可能なツールレスネジ９０とされている。よって、別途ツールを用意することなくツールレスネジ９０を着脱して集塵カバー５０を容易に着脱することができるし、集塵カバー５０の装着時にはツールレスネジ９０により確実に集塵カバー５０を保持することができる。
又、突起８０は、ハウジング止め孔部８２に対して、スピンドル１８を介して互いに対向する位置（下に対する上）に配置されている。よって、スピンドル１８の回転時にも安定して集塵カバー５０を保持することができる。特に、ハウジング止め孔部８２が突起８０の下方の左右に一対で配置されているので、安定した取り付けを確保しながら、集塵カバー５０について、集塵カバー掛け孔部６６を突起８０に係止しながらハウジング９に載せるという、自然な取り付けを提供することができる。
更に、スピンドル１８を回転させるモータ１６と、モータ１６を収容する本体２とを備えており、配水管４０は、本体２の外に配置されており、突起８０及びハウジング止め孔部８２は、配水管４０のハウジングであるハンドルハウジング１４，１５に設けられている。よって、本体２に取り付ける場合に比べ、モータ１６等を避けることを要しない分集塵カバー５０の取り付け部を設置し易い。又、モータ１６を始めとする電気部品が収容された本体２と配水管４０を分離することができ、電気部品が保護される。
加えて、集塵カバー５０は、弾性材により形成されているので、適宜弾性変形をさせることにより取り付け部に対して装着し易くすることができるし、研磨時に被加工材等に当たったとしても弾性力により柔軟に対処することができる。
尚、ハンドル前半部８がループハンドル４の一部となっているため、配水管４０を含むハンドル前半部８につきスイッチ２３を含むハンドル後半部６と独立させることができ、電気部品のない（少ない）箇所にて送水して万一の水漏れに対処することができるし、スイッチ２３等の操作やハンドル後半部６の握りを行い易くすることができるし、ハンドル前半部８を握って操作することもできて操作性が向上するし、集塵カバー５０をスピンドル１８に近い側であるハンドル前半部８に着脱することで一層着脱し易くすることができる。
又、配水管４０を覆うハンドルハウジング１４，１５が設けられるため、配水管４０を保護すると共に、集塵カバー５０の取り付け部をより設置し易くし、又集塵カバー５０を一層着脱容易にすることができる。
【００２３】
尚、本発明は、上記形態に限定されるものではない。例えば、上記形態は、次のようにそれぞれ独立に又は適宜重複して変更することができる。
集塵カバー掛け孔部を、左若しくは右又は双方の集塵カバー止め孔部の位置（スピンドルの下方）に配置し、集塵カバー止め孔部を、集塵カバー掛け孔部の位置（スピンドルの上方）に配置する等、集塵カバー掛け孔部や集塵カバー止め孔部（ハウジング側突起やハウジング止め孔部）の配置を適宜変更する。
ハウジング側突起に鉤を設け、集塵カバー掛け孔部に掛かるようにしたり、ハウジング側取り付け部として磁性体（磁石）を設置すると共に、ツールレスネジ固定手段として磁石（磁性体）を用い、カバー側取り付け部を磁性体と磁石で挟まれる部分として、磁石（磁性体）により集塵カバーを固定するようにしたりする等、カバー側突起係止部とハウジング側突起の係止態様や、ツールレス固定手段及びハウジング側取り付け部並びにカバー側取り付け部の取り付け態様を適宜変更する。
あるいは、集塵カバー掛け孔部（カバー側突起係止部）に代えて集塵カバー突起（カバー側突起）を設けると共に、突起（ハウジング側突起）に代えてハウジング掛け孔（ハウジング側突起係止部）を設けて、集塵カバーをハウジングに掛けるようにしても良い。又、カバー側突起係止部とカバー側突起（及びハウジング側突起とハウジング側突起係止部）を共に設けても良い。
【００２４】
ハンドルハウジングを設けず配水管を露出させ、あるいはループハンドルの前辺・下辺・後辺のそれぞれについて別のハウジングとしたり、あるいは共通のハウジングとしたり、中間ハウジングと後部ハウジングや後部ハウジングと後端部カバーを共通化したり、これらを半割のものとしたり、後端部カバーを省略したり、ハウジング側突起を半割とせず一体に形成したりする等、ハウジングの構成を適宜変更する。
ループハンドルの形態につき、オーバル状としたり、曲線を含んで構成したものとしたりする。
集塵カバーの形態につき、サブカバーを直接ハウジングに取り付けるものとしたり、サブカバーをツールレス固定手段により取り付けるものとしたり、サブカバーを設けないものとしたり、全体で一体の碗状としたり、各種リブや突出片を省略しあるいは増減したりする等、適宜変更する。
又、本発明を、電池駆動のものや、注水式サンダ等、他の種類の注水式研削工具や注水式電動工具に適用する。
【符号の説明】
【００２５】
１・・注水式グラインダ（注水式電動工具）、２・・本体、９・・ハウジング、１４，１５・・ハンドルハウジング（配水管ハウジング）、１６・・モータ、１８・・スピンドル、２７・・研磨パッド（先端工具）、４０・・配水管、５０・・集塵カバー、５２・・メインカバー（集塵カバー）、６６・・集塵カバー掛け孔部（カバー側突起係止部）、６８・・集塵カバー止め孔部（カバー側取り付け部）、８０・・突起（ハウジング側突起）、８２・・ハウジング止め孔部（ハウジング側取り付け部）９０・・ツールレスネジ（固定手段，ツールレス固定手段）。
【図１】
2016203326.tif 000003
【図２】
2016203326.tif 000004
【図３】
2016203326.tif 000005
【図４】
2016203326.tif 000006
【図５】
2016203326.tif 000007
【図６】
2016203326.tif 000008
【図７】
2016203326.tif 000009